(57)【要約】【課題】  従来の回転ドアで通行者が回転ドア本体と固定外壁との間に挟まれた場合、ほぼその挟まれた時点で通行者は回転ドアからの衝撃を受けることにより、重大事故を起こす恐れがある。【解決手段】  延長体と回転ドアの停止システムを作動する停止発信装置を用いて安全装置を発案した。回転ドア本体の先端、或いは固定外壁の開口部側の先端にこの安全装置を設置することにより、挟まれた通行者を回転ドアの衝撃による事故から守ることができる。【選択図】  図１
2006299773.tif 000002
【特許請求の範囲】
【請求項１】
回転ドア本体の回転方向の先端に、移動可能なドアの延長体を配置する。回転の逆方向から設定値以上の外力を受けると、この延長体は移動する。
【請求項２】
回転ドアの停止システムを作動する停止発信装置を設置する。延長体は回転ドア本体に対して動き出した場合、この停止発信装置により回転ドアを停止させる。
【請求項３】
固定外壁の開口部側の先端に、請求項１と請求項２を設置した安全装置。この場合には、延長体は壁の延長体で、回転ドアの回転方向から設定値以上の外力を受けると、延長体は移動する。壁の延長体は固定外壁に対して動き出した場合、停止発信装置により回転ドアを停止させる。
【発明の詳細な説明】
【技術分野】
【０００１】  本発明は回転ドア挟まれ事故防止装置に関する。
【背景技術】
【０００２】  従来、回転ドア装置としては、例えば特開２０００−１７０４４５号公報に開示されているようなものがある。通行者が回転ドア本体と固定外壁との間に挟まれた場合、回転ドア本体の衝撃により重大人身事故に繋がる危険性が高い。
【発明の開示】
【発明が解決しようとする課題】
【０００３】  従来の回転ドアでは、一旦通行者が回転ドア本体と固定外壁との間に挟まれると、回転ドア本体の衝撃により、人身事故を起こす恐れがある。【０００４】  本発明の目的は、回転ドアの衝撃による人身事故から挟まれた通行者を守る安全装置を提供することである。
【課題を解決するための手段】
【０００５】  今まで回転ドアと固定外壁との間の挟まりにて発生した事故を参考として分析すると、通行者が挟まれた時点で回転ドアの衝撃を受けたことが分かった。もし、回転ドアの衝撃を解消できる装置があれば、より深刻の事故を防ぐことも可能である。従って、上記目的を達成するために、延長体と回転ドア停止システムを作動する停止発信装置を用いて安全装置を発案した。本安全装置は回転ドア本体と固定外壁のどちらに設置しても効果がある。【０００６】  以下〔０００７〕から〔００１０〕までは回転ドア本体に本安全装置を設置する例を挙げて説明する。【０００７】  回転ドア本体の回転方向の先端に、ドアの延長体を配置する。回転の逆方向から設定値以上の外力を受けると、延長体が移動する。移動できる距離をＬ−ａとする。【０００８】  回転ドア本体に対する延長体の動きを検知する停止発信装置を設ける。その停止発信装置は回転ドアの停止システムを制御する。回転ドア本体に対して延長体が動き出した時点で、その停止発信装置により回転ドアの停止システムが作動される。回転ドアの自重での慣性により、回転ドアの停止システムが作動されても回転ドア本体が完全に止まるまで、ある程度の距離を移動する。その移動した距離をＬ−ｂとする。【０００９】  距離Ｌ−ａは距離Ｌ−ｂより長く設けること。【００１０】  通行者が挟まれた場合、実際には通行者が接触したのは延長体と固定外壁である。回転ドアと一緒に回転している延長体は通行者と接触した時点で通行者からの外力を受ける。その外力は設定値以上を超えると、延長体は止まる。（回転ドア本体に対する延長体を動かす外力の設定値は通行者の安全と停止システムの誤作動のないように考慮しながら設定する。）延長体の止まった時点で停止発信装置により回転ドアの停止システムが作動される。回転ドア本体は停止システムが作動されても自重での慣性により、ある程度の距離を移動してから完全に止まる。その距離をＬ−ｂとする。延長体は回転ドア本体に対する移動できる距離Ｌ−ａが距離Ｌ−ｂより長く設けられてあるので、回転ドアの衝撃は通行者に与える前に、回転ドアが止められる。すなわち、挟まれた通行者は回転ドアからの衝撃を受けることなく、より深刻な人身事故を防止することが可能となる。【００１１】  以下〔００１２〕から〔００１５〕までは固定外壁に本安全装置を設置する例を挙げて説明する。【００１２】  固定外壁の開口部側の先端に、壁の延長体を配置する。ドアの回転方向から設定値以上の外力を受けると、延長体が移動する。移動できる距離をＬ−ａとする。【００１３】  固定外壁に対する延長体の動きを検知する停止発信装置を設ける。その停止発信装置は回転ドアの停止システムを制御する。固定外壁に対して延長体が動き出した時点で回転ドアの停止システムが作動される。回転ドアの自重での慣性により、回転ドアの停止システムが作動されても回転ドア本体が完全に止まるまで、ある程度の距離を移動する。その移動した距離をＬ−ｂとする。【００１４】  距離Ｌ−ａは距離Ｌ−ｂより長く設けること。【００１５】  通行者が挟まれた場合、延長体は通行者から外力を受ける、その外力は設定値以上を超えると、延長体は移動する。（延長体を動かす外力��設定値は通行者の安全と停止システムの誤作動のないように考慮しながら設定する。）延長体の動き出した時点で停止発信装置により回転ドアの停止システムが作動される。回転ドア本体は停止システムが作動されても自重での慣性により、ある程度の距離を移動してから完全に止まる。その距離をＬ−ｂとする。延長体は固定外壁に対する移動できる距離Ｌ−ａが距離Ｌ−ｂより長く設けられてあるので、ドアの衝撃は解消され、挟まれた通行者をより深刻な事故から守ることが可能である。
【発明の効果】
【００１６】  本発明の回転ドア挟まれ事故防止装置は延長体と回転ドアの停止システムを作動する停止発信装置を用いることにより、通行者は回転ドアに挟まれても、回転ドアの衝撃による重大人身事故を防ぐきわめて実用的な機能を有している。
【発明を実施するための最良の形態】
【００１７】  以下は、本発明の実施例を図面を参照しながら説明する。【００１８】  図１は従来の回転ドア本体３に延長体１と回転ドアの停止システムを作動するスイッチ２を設置した図である。図２は上から見た回転ドア本体３の先端部分と延長体１とスイッチ２である。延長体１はなるべく軽いもの、例えばプラスチックガラスなどの素材を使う。図３は延長体１が移動前と移動後の位置を示した図である。１は方向５から設定値以上の外力を受けると移動する、６は延長体１の移動前の位置である、７は移動後の位置である。６から７まで移動できる距離をＬ−ａとする。１は３に対して動き出した時点でスイッチ２により回転ドアの停止システムは作動される。【００１９】  図４は通行者１３が回転ドアと固定外壁１２に挟まれた状態を示す上から見た平面図である。１３が挟まれても実際に接触したのは延長体１と固定外壁１２である。回転ドア本体３と一緒に回転している１は１３と接触した時点で１３から外力を受ける。その外力は設定値以上に超えると、１は止められる。３に対する１を動き出せる外力の設定値は通行者の安全とスイッチ２の誤作動のないように考慮しながら設定する。１は止められたが、３はまだ回転している。つまり、１は止まった時点で３に対して動き出した、その時、２による回転ドアの停止システムは作動される。９は停止システムが作動した時点で回転ドア本体３の先端の位置である。停止システムが作動されても、回転ドア本体３は自重での慣性により、ある程度の距離を移動してから１０の位置に止まる。９から１０までの距離をＬ−ｂとする。【００２０】  距離Ｌ−ａは距離Ｌ−ｂより長く設けることにより、回転ドア本体３は衝撃を通行者１３に与える前に止められる。
【図面の簡単な説明】
【００２１】
【図１】回転ドア挟まれ事故防止装置付回転ドア斜視図
【図２】上から見た回転ドア挟まれ事故防止装置付回転ドアの先端部分の平面図
【図３】延長体が移動前と移動後の位置を示した図
【図４】通行者が回転ドア挟まれ事故防止装置と固定外壁に挟まれた状態を示す図
【符号の説明】
【００２２】  １    延長体
２    回転ドアの停止システムを作動するスイッチ
２ａ    回転ドア本体が停止した時、２の位置
３    回転ドア本体
４    回転ドアの回転方向
５    回転ドアの回転方向の逆の方向
６    延長体の正常の位置
７    延長体の移動後の位置
８    距離Ｌ−ａ
９    回転ドアの停止システムが作動した時点で回転ドア本体の先端の位置
１０    回転ドアの停止した時の回転ドア本体の先端の位置
１１    距離Ｌ−ｂ
１２    固定外壁
１３    通行者
【図１】
2006299773.tif 000003
【図２】
2006299773.tif 000004
【図３】
2006299773.tif 000005
【図４】
2006299773.tif 000006